(57)【要約】【課題】  設営と撤去が首尾よく短時間に行え、廃棄量やランニングコストが抑えられるようにする。【解決手段】  吸着により対象面１２に貼り付ける吸着シート１３を用い、貼り付ける２組のテープ状の吸着シート１３間で、それらの、先端の突合せによる接続角度α１に見合う角度β１を予め付与した突合せ端縁２１どうしでの突合せ、またはおよび、一方の側縁２２への他方の先端１３ｂ１の突合せによる接続角度α２に見合う角度β２を予め付与した突合せ端縁２１での突合せにより、前記接続角度α１またはα２のコーナ部３１またはおよびＴ字部３２を持ったラインを対象面１２上に表示する工程を含んでゲームフィールドを表示し設営することにより、上記の目的を達成する。【選択図】  図４
2005245875.tif 000002
【特許請求の範囲】
【請求項１】
シートを対象面に貼り付けてゲームフィールドを表示し設営するゲームフィールドの設営方法であって、
吸着により対象面に貼り付ける吸着シートを用い、貼り付ける２組のテープ状の吸着シート間で、それらの、先端の突合せによる接続角度に見合う角度を予め付与した突合せ端縁どうしでの突合せ、またはおよび、一方の側縁への他方の先端の突合せによる接続角度に見合う角度を予め付与した突合せ端縁での突合せにより、前記接続角度のコーナ部またはおよびＴ字部を持ったラインを対象面上に表示する工程を含んでゲームフィールドを表示し設営することを特徴とするゲームフィールドの設営方法。
【請求項２】
ゲームフィールドにおける特定のゾーンないしはエリア形状を単独で、あるいは組合せで有した吸着シートを、対象面の対応する位置に貼り付ける工程を含んでゲームフィールドを対象面上に表示し設営する請求項１に記載のゲームフィールドの設営方法。
【請求項３】
２組の吸着シートの、一方の側縁への他方の突合せ端縁での突合せは、それら側縁および突合せ端縁の少なくとも側縁の側に設けた位置表示を基に位置合せして行う請求項１、２のいずれか１項に記載のゲームフィールドの設営方法。
【請求項４】
対象面にシートを貼り付けてゲームフィールドを表示し設営するゲームフィールドの設営具であって、
吸着により対象面に貼り付ける吸着シートよりなり、互いの接続角度に見合う角度の突合せ端縁を付与された２つのラインテープの組合せ、またはおよび、一方のラインテープとこの一方のラインテープの側縁への接続角度に見合う角度の突合せ端縁を付与された他方のラインテープの組合わせ、を備えたことを特徴とするゲームフィールドの設営具。
【請求項５】
対象面にシートを貼り付けてゲームフィールドを表示し設営するゲームフィールドの設営具であって、
吸着により対象面に貼り付ける吸着シートよりなり、互いの接続角度に見合う角度の端縁を付与されかつ規定長さを有した２つのラインテープの組合せ、またはおよび、一方のラインテープとこの一方のラインテープの側縁への接続角度に見合う角度の突合せ端縁を付与されかつ規定長さを有した他方のラインテープの組合わせ、を備えたことを特徴とするゲームフィールドの設営具。
【請求項６】
一方の側縁に他方の突合せ端縁を突合せ接続する２組のラインテープは、それら側縁および突合せ端縁の少なくとも側縁に互いの位置合せ用の位置表示を有している請求項４、５のいずれか１項に記載のゲームフィールドの設営具。
【請求項７】
位置表示は、印刷、貼り合わせのいずれかである請求項６に記載のゲームフィールドの設営具。
【請求項８】
対象面にシートを貼り付けてゲームフィールドを表示し設営するゲームフィールドの設営具であって、
吸着により対象面に貼り付ける吸着シートよりなり、互いの接続角度に見合う角度の突合せ端縁を付与されかつ規定長さを有した２つのラインテープの組合せ、またはおよび、一方のラインテープとこの一方のラインテープの側縁への接続角度に見合う角度の突合せ端縁を付与されかつ規定長さを有した他方のラインテープの組合わせ、に切断して１つ以上のゲームフィールドを表示し設営できる長さ以上に連続したラインテープ材と、このラインテープ材を規定長さのラインテープに切断したときの端部に対し、その側縁に沿う向きで貼り合わせて、他のラインテープとの接続角度に見合う角度の突合せ端縁とするための切断角度を教示するカッティングゲージシートと、を備えたことを特徴とするゲームフィールドの設営具。
【請求項９】
一方の側縁に他方の突合せ端縁を突合せ接続するように切断する２組のラインテープに対し、それら一方の側縁および他方の突合せ端縁の少なくとも側縁に貼り合せて互いの接続位置を表示する位置表示シートを備えた請求項８に記載のゲームフィールドの設営具。
【請求項１０】
ラインテープ材は、長手方向に寸法目盛りが表示されている請求項
９に記載のゲームフィールドの設営具。
【請求項１１】
ゲームフィールドにおける特定のゾーンないしはエリア形状を単独で、あるいは組み合わせで有した吸着シートを備えた請求項４〜１０のいずれか１項に記載のゲームフィールドの設営具。
【発明の詳細な説明】
【技術分野】
【０００１】
本発明は、対象面にシートを貼り付けてスポーツなど各種のゲームフィールドを表示し設営するゲームフィールドの設営方法とその設営具に関するものである。
【背景技術】
【０００２】
球技やバドミントンなど各種のスポーツはそれぞれに態様の異なったフィールドを利用している。また、同じ競技でも年齢や性別によってサイズが異なったりするし、ベースボール類の競技でも正式なダイヤモンド形態の他に、いわゆる三角ベースと俗称されるダイヤモンド形態の半分程度に狭くした三角形態のフィールドが選択されることもある。
【０００３】
これらのゲームフィールドの設営にはいわゆるライン引き作業を伴う。特に、室内では使用頻度の高い、あるいは他に影響しにくい、あるいは特殊なために設営しにくいといった理由から、特定のスポーツ、例えばバスケットボール用のフィールドを塗装ラインによって設営して常設のものとしておき、他のゲームフィールドの設営に対しては基点や特定点となる位置表示を塗装などで常設しておき、その時々のライン引きをアシストできるようにしている。このような室内でのその時々のライン引きは多くの場合、紙製または樹脂製の粘着テープを利用して行われ、使用後は粘着テープを剥離して設営を撤去する。
【発明の開示】
【発明が解決しようとする課題】
【０００４】
ところで、多くの種類のスポーツが行われる総合スポーツセンターなどでは、性別や年齢の違い、ニュースポーツの増加も加わって、同じフロアで設営するゲームフィールドの種類が多くなってきている。これに前記常設の位置表示によって対応するのでは、それがポイント表示で他に影響しにくいといっても、その種類が多いと色別に施すなどしても混乱を招くし、競技の邪魔にもなる。
【０００５】
また、常設の位置表示を基に粘着テープを床面に貼り付けて設営するにも、向きの確認と直線性の確保のために長く引き延ばしてから貼り付けようとすると、途中が垂れて床面に接触すると粘着してしまうので、それを剥がしながらのやり直し作業となることが多いし、粘着テープの途中数個所を別の人が支持してアシストするには直線性が損なわれたり、見通しが悪くなったり、互いの連携が困難であったりする。また、粘着テープを長く引き延ばさずに短かな単位で貼り合せていくと、向きや直線性に狂いが生じやすく、これも剥離を伴うやり直し回数増加の原因となる。また、粘着テープはそれ自体の部分間で粘着し合うことも多いが、これを剥がすのは困難であるし、剥がしても粘着テープに折れ目や皺などのダメージが生じて直線性を損なったり、床面に密着した貼り付けができないといったことも生じる。これらのため、粘着テープによる設営は常設の位置表示によるアシストがあっても首尾よく短時間に設営することはできず、競技前の準備時間が長くなる。しかも、粘着テープを剥がしての設営撤去にも糊残り処理や部分間接着によるかさ張りなどに対応することも含め時間が掛かるし、一旦剥がした粘着テープは粘着性低下したり失ったりしていて再利用できないので、その廃棄量が勢い増大するしランニングコストも高くつく。
【０００６】
本発明の目的は、設営と撤去が首尾よく短時間に行え、廃棄量やランニングコストが抑えられるゲームフィールドの設営方法とその設営具を提供することにある。
【課題を解決するための手段】
【０００７】
上記のような目的を達成するために、本発明のゲームフィールドの設営方法は、シートを対象面に貼り付けてゲームフィールドを表示し設営するフィールド設営方法であって、吸着により対象面に貼り付ける吸着シートを用い、貼り付ける２組のテープ状の吸着シート間で、それらの、先端の突合せによる接続角度に見合う角度を予め付与した突合せ端縁どうしでの突合せ、またはおよび、一方の側縁への他方の先端の突合せによる接続角度に見合う角度を予め付与した突合せ端縁での突合せにより、前記接続角度のコーナ部またはおよびＴ字部を持ったラインを対象面上に表示する工程を含んでゲームフィールドを表示し設営することを１つの特徴としている。
【０００８】
このような構成では、吸着により対象面に貼り付ける吸着シートの使用によって、それを長いテープ状の吸着シートとして対象面に貼り合わせ、ライン表示をするようなことが、向きを確認しやすく、直線性を確保しやすい長く引き延ばした状態にて、途中が垂れても対象面へ吸着することはないし、自身の部分間の吸着もないので、１人または少人数にて容易かつ短時間で適正な向きおよび直線性を持ったラインを表示しながら、適正な範囲については対象面への押圧にて吸着させ貼り付け固定することができる。しかも、それら貼り付ける２組のテープ状の吸着シート間では、互いの端縁どうしでの突合せ、またはおよび、一方の側縁に対する他方の端縁の突合せによって、その突き合わせによるコーナ部を持った、またはおよびＴ字部を持った接続の相互角度を、それら端縁に予め付与した前記接続角度に見合う角度によって一義的に規正することができる。
【０００９】
このようなゲームフィールドの設営方法を達成する設営具としては、対象面にシートを貼り付けてゲームフィールドを表示し設営するゲームフィールドの設営具であって、吸着により対象面に貼り付ける吸着シートよりなり、互いの接続角度に見合う角度の突合せ端縁を付与された２つのラインテープの組合せ、またはおよび、一方のラインテープとこの一方のラインテープの側縁への接続角度に見合う角度の突合せ端縁を付与された他方のラインテープの組合せ、を備えたことを１つの特徴とするものであればよく、ユーザに接続角度に見合う角度の端縁を形成するような手間を掛けることなく、コーナ部またはおよびＴ字部を持った種々な形態のゲームフィールドに対応することができる。
【００１０】
また、ゲームフィールドの設営具は、対象面にシートを貼り付けてゲームフィールドを表示し設営するゲームフィールドの設営具であって、吸着により対象面に貼り付ける吸着シートよりなり、互いの接続角度に見合う角度の端縁を付与されかつ規定長さを有した２つのラインテープの組合せ、またはおよび、一方のラインテープとこの一方のラインテープの側縁への接続角度に見合う角度の突合せ端縁を付与されかつ規定長さを有した他方のラインテープの組合わせ、を備えたことを別の特徴とするものでもよく、この場合は、前記１つの特徴の場合に加え、さらに、所定角度の突合せ端縁に切断する手間のほか、テープ状の吸着シートを規定長さに切断するような手間もユーザに掛けなくてよい。
【００１１】
以上の設営具において、一方の側縁に他方の突合せ端縁を突合せ接続する２組のラインテープは、それら側縁および突合せ端縁の少なくとも側縁に互いの位置合せ用の位置表示を有している、さらなる構成では、
一方の側縁は吸着シートの長手方向の途中を含み、そのままでは接続位置が特定しないのを、少なくともこの側縁の側に設けた位置表示を基に他方の突合せ端縁を突き合わせるときの位置合せができる。
【００１２】
位置表示は、印刷、貼り合わせのいずれかである、さらなる構成では、
印刷によっては規定長さを有した場合と共に量産に適したものとし、貼り合わせによっては現場合せするのに適したものとすることができる。
【００１３】
また、ゲームフィールドの設営具は、対象面にシートを貼り付けてゲームフィールドを表示し設営するゲームフィールドの設営具であって、吸着により対象面に貼り付ける吸着シートよりなり、互いの接続角度に見合う角度の突合せ端縁を付与されかつ規定長さを有した２つのラインテープの組合せ、またはおよび、一方のラインテープとこの一方のラインテープの側縁への接続角度に見合う角度の突合せ端縁を付与されかつ規定長さを有した他方のラインテープの組合わせ、に切断して１つ以上のゲームフィールドを表示し設営できる長さ以上に連続したラインテープ材と、このラインテープ材を規定長さのラインテープに切断したときの端部に対し、その側縁に沿う向きで貼り合わせて、他のラインテープとの接続角度に見合う角度の突合せ端縁とするための切断角度を教示するカッティングゲージシートと、を備えたことを他の特徴とするものでもよい。この場合は、特に、吸着シートよりなる長尺のラインテープ材をユーザの側で規定長さを持った個々のラインテープに切断して用いることができ、ゲームフィールドを表示し設営するのに他のラインテープとの接続角度に応じて先端部に必要となる突合せ端縁の角度は、ラインテープの先端部にその側縁に沿って貼り合わせたカッティングゲージシートによって教示されるので、この教示に従って裁断すれば、前記の設営方法が実現する。
【００１４】
この場合、一方の側縁に他方の突合せ端縁を突合せ接続するように切断する２組のラインテープに対し、それら一方の側縁および他方の突合せ端縁の少なくとも側縁に貼り合せて互いの接続位置を表示する位置表示シートを備えた、さらなる構成では、
一方の側縁は吸着シートの長手方向の途中を含み、そのままでは接続位置が特定しないのを、少なくともこの側縁の側に位置表示シートを貼り合わせて、それによる位置表示を基に他方の突合せ端縁を突き合わせるときの位置合せができる。
【００１５】
また、ラインテープ材が、長手方向に寸法目盛りが表示されている、さらなる構成では、
寸法目盛りを規定長さの切断位置の目安や、突合せ端縁を必要な角度に裁断する目安にしたり、側縁への他のラインテープの端縁の接続位置を決めたり、あるいは接続位置を表示する位置表示シートの貼りあわせの目安にしたりすることができる。
【００１６】
また、ゲームフィールドにおける特定のゾーンないしはエリア形状を単独で、あるいは組合せで有した吸着シートを備えた、さらなる構成では、
特定のゾーンないしはエリア形状が、吸着シートの広さによって単独であるいは組合わせで簡単に得られる。
【００１７】
本発明のそれ以上の目的および特徴は、以下の詳細な説明および図面の記載によって明らかになる。本発明の各特徴は、それ単独で、あるいは可能な限りにおいて種々な組合せで複合して採用することができる。
【発明の効果】
【００１８】
本発明の、ゲームフィールドの設営方法とその設営具の１つの特徴によれば、吸着シートを貼り合わせたラインどうしによる特定の接続角度のコーナ部またはおよびＴ字部を持ったゲームフィールドを対象面上に表示し設営することが、１人または少人数にて容易かつ短時間で設営することができる。また、吸着力は面方向には強く各種ゲームでの人の動きによって位置ずれしないにもかかわらず、面からの剥離に対する抵抗力は小さく設営の撤去が簡単かつ短時間に行える。しかも、吸着テープの吸着性は吸着面の面構造ないしは面形状によるもので、繰り返し使用することができるので、廃棄物の減量、ランニングコストの低減が図れる。
【００１９】
また、本発明の、設営具の他の特徴によれば、吸着シートよりなる長尺のラインテープ材をユーザの側で規定長さを持った個々のラインテープに切断し、カッティングゲージシートが教示する突合せ端縁の裁断角度によって、種々なゲームフィールドの設営に対応するものとすることができ、カッティングゲージシートの種類によって多種類のゲームフィールドに対応することができる。
【００２０】
また、位置表示シ−トによる位置表示の種類によっても多種類のゲームフィールドに対応することができる。
【００２１】
また、ラインテープ材に施された寸法目盛は、規定長さの切断位置、突合せ端縁の裁断角度、側縁への他のラインテープの接続位置やそれを示す位置表示シートの貼りあわせ位置、などを判断するのに好都合である。
【００２２】
また、単独の、あるいは組合せの吸着シートにより、その広さを利用した特定のゾーンないしはエリア形状が簡単に得られる。
【発明を実施するための最良の形態】
【００２３】
本発明の実施の形態に係るゲームフィールドの設営方法とその設営具につき、図１〜図５を参照しながら詳細に説明し、本発明の理解に供する。以下の説明は本発明の具体例であって、特許請求の範囲の記載の内容を限定するものではない。
【００２４】
本実施の形態に係るゲームフィールドの設営方法とその設営具は、図１〜図３、図５（ａ）に示すようなドッジボール用のゲームフィールド１、図４に示すようなベースボール用の三角ベースタイプのゲームフィールド２、図５（ｂ）に示すようなバドミントンのゲームフィールド３、および図５（ｃ）に示すようなファミリーバドミントンのゲームフィールド４といった主としてスポーツフィールドを設営する場合の各例を示している。しかし、スポーツに限らない各種ゲームフィールドに本発明は適用できるし、いずれも体育館などの床面を対象面として設営する事例であるが、スカッシュボールのように垂直な、あるいは床面に対して角度のある壁面などを対象面に含むか、対象面とするような事例にも適用することができる。
【００２５】
本実施の形態のゲームフィールド設営方法は、図６に示すようにフォーム層などによるポーラス組織面やパターン印刷面とした吸着面１１での微細かつ無数の吸盤構造部１１ａを利用した吸着特性により床面などの対象面１２に貼り付ける吸着シート１３を用いる。具体的には、図１〜図３、図５（ａ）に示すドッジボール用のゲームフィールド１と、図４に示す三角ベースタイプのゲームフィールド２とで代表的に示しているように、貼り付ける２組のテープ状の吸着シート１３、１３間で、それらの、先端の突合せによる接続角度α１に見合う角度β１を予め付与した突合せ端縁２１、２１どうしでの突合せ、またはおよび、一方の側縁２２への他方の先端の突合せによる接続角度α２に見合う角度β２を予め付与した突合せ端縁２１での突合せにより、前記接続角度α１、α２のコーナ部３１またはおよびＴ字部３２を持ったラインを対象面１２上に表示する工程を含んでゲームフィールドを表示し設営する。ここに、角度β１、β２は吸着シート１３の先端１３ａ１、１３ｂ１における側縁２２に対する傾斜角と定義することで、鋭角、鈍角の別なく特定することができ便利である。また、吸着シート１３としてはＰＥＴを材料としたものであると、環境にやさしいものとなる。
【００２６】
このような吸着により対象面１２に貼り付ける吸着シート１３の使用によって、それを長いテープ状の吸着シート１３として対象面１２に貼り合わせ、図１〜図３、図５（ａ）に示すドッジボール用のゲームフィールド１や、図４に示す三角ベースタイプのゲームフィールド２などのライン表示をすることが、向きを確認しやすく、直線性を確保しやすい長く引き延ばした状態にて、途中が垂れても対象面へ吸着することはないし、自身の部分間の吸着もないので、１人または少人数にて容易かつ短時間で適正な向きおよび直線性を持ったラインを表示しながら、適正な範囲については対象面１２への押圧にて吸着させ貼り付け固定することができる。しかも、それら貼り付ける２組のテープ状の吸着シート間では、互いの端縁どうしでの突合せ、またはおよび、一方の側縁に対する他方の端縁の突合せによって、その突き合わせによるコーナ部３１を持った、またはおよび、図１に示すような直角または図４に示すような傾斜したＴ字部３２を持った接続の相互角度を、それら端縁２１に予め付与した前記接続角度α１、α２に見合う角度β１、β２によって一義的に規正することができる。
【００２７】
これにより、吸着シート１３を貼り合わせたラインどうしによる特定の接続角度α１、α２のコーナ部３１またはおよびＴ字部３２を持ったゲームフィールド１や２などを対象面１２上に図１、図４に示すように表示し設営することが、１人または少人数にて容易かつ短時間で設営することができる。また、吸着シート１３の吸着力は面方向、つまり対象面方向には強く各種ゲームでの人の動きによって位置ずれしないにもかかわらず、対象面１２からの剥離に対する抵抗力は小さく、また自身の部分どうし、あるいは他のものと不用意に吸着し合うことがなく、簡単かつ随意に取り扱えるので、設営の撤去が簡単かつ短時間に行える。しかも、吸着テープの吸着性は吸着面の面構造ないしは面形状によるもので、繰り返し使用することができるので、廃棄物の減量、ランニングコストの低減が図れる。
【００２８】
このようなゲームフィールドの設営方法を達成する設営具としては、吸着により対象面１２に貼り付ける吸着シート１３よりなり、図１〜図３に示す例、図４に示す例のように互いの接続角度α１に見合う角度β１の突合せ端縁２１、２１を付与された２つのラインテープ１３ａ、１３ａの組合せ、またはおよび、図１〜図３に示す例、図４に示す例のように一方のラインテープ１３ａとこの一方のラインテープ１３の側縁２２への接続角度α２に見合う角度β２の突合せ端縁２２を付与された他方のラインテープ１３ｂの組合せ、を備えたものであればよく、ユーザに接続角度α１やα２に見合う角度の端縁β１やβ２を形成するような手間を掛けることなく、コーナ部３１またはおよびＴ字部３２を持った種々な形態のゲームフィールド１〜４などに対応することができる。
【００２９】
コーナ部３３１を持った接続を行うラインテープ１３ａの組合せを２組用いると図１〜図３、図５（ａ）に示すドッジボール用のゲームフィールド１の両チームを含む内野ゾーンの輪郭をなす矩形ライン、図５（ｂ）に示すバドミントン用のゲームフィールド３および図５（ｃ）に示すファミリーバドミントン用のゲームフィールド４における全ゾーンを囲う矩形ラインを表示することができる。これに既設の相対向し合うラインテープ１３ａの途中側縁間に対する他のラインテープ１３ｂのＴ字部３２を持った突合せ接続を適用し、または応用することにより、図５（ｂ）に示すバドミントン用のゲームフィールド３および図５（ｃ）に示すファミリーバドミントン用のゲームフィールド４における全ゾーンを囲う矩形ライン内での各種補助ラインを表示することができる。さらに、既設のラインテープ１３ａの途中側縁に対する他のラインテープ１３ｂの突合せ接続と、このラインテープ１３ｂに対するラインテープ１３ａによるコーナ部３１を持った接続を行うことを組み合わせれば、図１〜図３、図５（ａ）に示すドッジボール用のゲームフィールド１における外野ゾーンの輪郭ラインを表示することができる。
【００３０】
また、ラインテープ１３ａ、１３ｂは突合せ端縁の角度β１、β２に加え、規定長さを有したものとしておけば、突合せ端縁を所定の角度β１、β２に切断する手間のほか、テープ状の吸着シートを規定長さに切断するような手間もユーザに掛けなくてよくなる。従って、子供などにも利用されやすいし、図５（ａ）〜（ｃ）に示すようなオフィシャルな
各部寸法を確保しやすい利点がある。もっとも、ラインテープ１３ａ、１３ｂに伸びがあると不都合であるが、既述した材料ではそれがなく好適である。
【００３１】
また、前記一方の側縁２２に他方の突合せ端縁２１を突合せ接続する２組のラインテープ１３ａ、１３ｂは、図１〜図３に示すようにそれら側縁２２および突合せ端縁２１に互いの位置合せ用の位置表示４１を有したものとしている。しかし、位置表示４１は少なくとも側縁２２にあればよく、側縁２２はラインテープ１３ａの長手方向の途中を含み、そのままでは接続位置が特定しないのを、少なくともこの側縁２２の側に設けた位置表示４１を基に他方の突合せ端縁２１を突き合わせるときの位置合せができる。位置表示は、印刷、貼り合わせのいずれかで行うことができ、印刷によっては規定長さを有した場合と共に量産に適したものとし、貼り合わせによっては現場合せするのに適したものとすることができる。図１〜図３に示す例では、位置表示シート５１を側縁２２および突合せ端縁２１の双方に貼り合わせてあり、それ自体が位置表示になるものの、図示する例では特に、位置表示シート５１には位置合せのための三角形をした小さな指標５１ａを印刷や書き込み、貼り合わせにて表示し、位置合わせがさらに精度よく行われやすくしている。
【００３２】
また、前記接続角度α１は図示するような直角およびそれ以下の角度に限られることはなく、直角以上を含めた種々な角度とすることができ、直角よりも大きな角度でのコーナ部３１を持った接続を小さなピッチで繰り返し続けると、多角形方式での輪郭を持った各種ゾーンやエリアの形状が得られる。しかし、ゲームフィールド１などにおける図１に示すような特定のゾーンないしはエリア６１、６２などの形状を単独で、あるいは組合せで有した吸着シート６３を備えたものとすることができ、これによると、特定のゾーンないしはエリア６１、６２の形状が、吸着シート６３の広さによって単独であるいは組合わせで簡単に得られる。
【００３３】
ところで、設営具は、吸着により対象面１２に貼り付ける図６に示すような吸着シート１３よりなり、互いの接続角度α１に見合う角度β１の突合せ端縁を付与されかつ規定長さを有した２つのラインテープ１３ａ、１３ａの組合せ、またはおよび、一方のラインテープ１３ａとこの一方のラインテープ１３ａの側縁２２への接続角度α２に見合う角度β２の突合せ端縁２１を付与されかつ規定長さを有した他方のラインテープ１３ｂの組合わせ、に切断して１つ以上のゲームフィールド１〜４などを表示し設営できる長さ以上に連続したラインテープ材１３１と、このラインテープ材１３１を規定長さのラインテープ１３ａ、１３ｂなどに切断したときの先端１３ａ１、１３ｂ１に対し、その側縁２２に沿う向きで図１〜図３に示すように貼り合わせて、他のラインテープ１３ａ、１３ｂとの接続角度α１、α２に見合う角度β１、β２の突合せ端縁２１とするための切断角度を教示するカッティングゲージシート７１と、を備えたものとして提供することができる。この場合は、特に、吸着シート１３よりなる長尺のラインテープ材１３１をユーザの側で規定長さを持った個々のラインテープ１３ａ、１３ｂに切断して用いることができ、ゲームフィールド１〜４などを表示し設営するのに他のラインテープ１３ａ、１３ｂとの接続角度α１、α２に応じて先端１３ａ１、１３ｂ１に必要となる突合せ端縁２１の角度β１、β２は、ラインテープ１３ａ、１３ｂの先端１３ａ１、１３ｂ１にその側縁２２に沿って貼り合わせたカッティングゲージシート７１によって教示されるので、この教示に従って裁断すれば、前記の設営方法が実現する。
【００３４】
また、一方の側縁２２に他方の突合せ端縁２１を突合せ接続するように切断する２組のラインテープ１３ａ、１３ｂに対し、それら一方の側縁２２および他方の突合せ端縁２１の少なくとも側縁２２に貼り合せて互いの接続位置を表示する位置表示シート５１をさらに備えたものとして、設営具を提供することもできる。これにより、一方の側縁２２は吸着シート１３、つまり切断したラインテープ１３ａの長手方向の途中を含み、そのままでは接続位置が特定しないのを、少なくともこの側縁２２の側に位置表示シート５１を既述したように貼り合わせて、それによる位置表示を基に他方の突合せ端縁２１を突き合わせるときの位置合せができる。また、ラインテープ材１３１には、図２に切断されたラインテープ１３ａ、１３ｂで示すように長手方向にサイズ目盛り８１を印刷によって表示している。これにより、サイズ目盛り８１を規定長さの切断位置の目安や、突合せ端縁２１を必要な角度β１、β２に裁断する目安にしたり、ラインテープ１３ａの側縁２２への他のラインテープ１３ｂの突合せ端縁２１の接続位置を決めたり、あるいは接続位置を表示する位置表示シート５１の貼り合わせの目安にしたりすることができる。図５（ａ）〜（ｃ）にはゲームフィールド１、３、４を設営するのに必要な位置表示シート５１およびカッティングゲージシート７１の位置および数を示し、図４のゲームフィールド２を含めて必要となる位置表示シート５１やカッティングゲージシート７１の例を図７に示している。
【００３５】
ラインテープ材１３１はリールなどに巻き取って提供するとかさ低く、かつ取り扱いやすいので好適であり、所定のゲームフィールド用に切断して一旦用いて撤去したラインテープ１３ａ、１３ｂは再度リールに巻き取って保管することもできる。また、一旦用いた状態で、突合せ接続する場合のつき合わせ相手やその位置を以降間違わないように、ラインテープ１３ａ、１３ｂに貼り合わせた位置表示シート５１やカッティングゲージシート７１などに図７に示すＮＯ．部分に割符番号を付しておけば便利である。しかし番号以外の符号でもよいのは勿論である。ラインテープ１３ａ、１３ｂに貼り合わせた位置表示シート５１やカッティングゲージシート７１は、ラインテープ１３ａ、１３ｂの突合せ接続部分を補強する役目も営むことができ、頻繁な繰り返し使用に耐えやすくなる。本発明者らの経験では、吸着面１１の洗浄や清掃による処理を含めて１００回以上の繰り返し使用ができた。
【００３６】
なお、現在、オフィシャルなゲームフィールドを設営するライン幅には２通りあり、これに対応するサイズでの提供が必要となる。同じライン幅では１つのラインテープ材１３１により同種はもとより複数種類のゲームフィールド設営分を提供することもできる。また、位置表示シート５１やカッティングゲージシートは金属箔を利用するとラインテープ１３ａ、１３ｂ等の付き合わせ端２１や側縁２２を補強し、繰り返し使用によって疲労したり損傷したりしにくくすることができる。また、ラインテープ１３ａ、１３ｂどうしの接続は、突合せに代えて重ね合わせを採用することもできる。
【産業上の利用可能性】
【００３７】
本発明は、吸着シートをゲームフィールドの設営に実用するもので、設営、撤去を容易にするし、繰り返し使用できるようになる。
【図面の簡単な説明】
【００３８】
【図１】本発明の実施の形態に係るドッジボール用のゲームフィールドの設営図である。
【図２】図１のゲームフィルドの要部の設営図である。
【図３】図１のゲームフィールドの一部の設営図である。
【図４】本発明の実施の形態に係る三角ベースのゲームフィールドの設営図である。
【図５】本発明の実施の形態に係るドッジボール用、バドミントン用、ファミリーバドミントン用の各ゲームフィールドをサイズと共に示す設営図である。
【図６】本発明のゲームフィールドの設営具に用いる吸着シートの吸着例を示す断面図である。
【図７】本発明のゲームフィールドの設営具に用いる位置表示シートおよびカッティングゲージシートの具体例を示す平面図である。
【符号の説明】
【００３９】
１〜４  ゲームフィールド
１１  吸着面
１２  対象面
１３、６３  吸着シート
１３ａ、１３ｂ  ラインテープ
１３ａ１、１３ｂ１  先端
２１  突合せ端縁
２２  側縁
３１  コーナ部
３２  Ｔ字部
４１  位置表示
５１  位置表示シート
６１、６２  ゾーンないしはエリア
７１  カッティングゲージシート
８１  サイズ目盛り
１３１  ラインテープ材
α１、α２  接続角度
β１、β２  突合せ端縁の角度
【図１】
2005245875.tif 000003
【図２】
2005245875.tif 000004
【図３】
2005245875.tif 000005
【図４】
2005245875.tif 000006
【図５】
2005245875.tif 000007
【図６】
2005245875.tif 000008
【図７】
2005245875.tif 000009